(57)【要約】【課題】表示スペースの確保が難しい小型無線通信端末が取り扱う情報を、その小型無線通信端末と異なる情報端末で簡便に表示することができる情報表示方法および小型無線通信端末を提供する。【解決手段】小型無線通信端末の制御手段１０１は情報を記憶手段１０２から読み出し、赤外線データ通信手段１０４へ出力する。赤外線データ通信手段１０４は情報を情報端末へ送信する。情報端末では、赤外線データ通信手段が情報を受信し、表示手段が、人が前記情報の内容を識別することが可能な形式で情報を表示する。【選択図】図１
2007193559.tif 000002
【特許請求の範囲】
【請求項１】
人が情報の内容を識別することが可能な形式で前記情報を表示する手段を有していない小型無線通信端末が記憶する前記情報を、前記小型無線通信端末と異なる情報端末が表示する情報表示方法であって、
前記小型無線通信端末の狭域通信手段が、記憶手段によって記憶された前記情報を前記情報端末へ送信し、
前記情報端末の狭域通信手段が前記情報を受信し、
前記情報端末の表示手段が、人が前記情報の内容を識別することが可能な形式で前記情報を表示する
ことを特徴とする情報表示方法。
【請求項２】
人が情報の内容を識別することが可能な形式で前記情報を表示する手段を有していない小型無線通信端末が記憶する前記情報を、前記小型無線通信端末と異なる情報端末が表示する情報表示方法であって、
前記情報端末の表示手段が、人が前記情報の内容を識別することが可能な形式で前記情報を表示し、
前記情報端末の狭域通信手段が前記情報を前記小型無線通信端末へ送信し、
前記小型無線通信端末の狭域通信手段が前記情報を受信し、
前記小型無線通信端末の記憶手段が、受信された前記情報を記憶する
ことを特徴とする情報表示方法。
【請求項３】
前記小型無線通信端末の狭域通信手段と前記情報端末の狭域通信手段が赤外線通信を行うことを特徴とする請求項１または請求項２に記載の情報表示方法。
【請求項４】
前記小型無線通信端末の狭域通信手段は、前記情報に基づいた２次元コードを生成する手段と、前記２次元コードを表示する手段とを備え、
前記情報端末の狭域通信手段は、表示された前記２次元コードを光学的に読み取る手段と、読み取った前記２次元コードを復号して前記情報を復元する手段とを備え、
前記情報端末の表示手段が、復元された前記情報を表示する
ことを特徴とする請求項１に記載の情報表示方法。
【請求項５】
前記情報端末が携帯電話端末であることを特徴とする請求項１〜請求項４のいずれかに記載の情報表示方法。
【請求項６】
人が情報の内容を識別することが可能な形式で前記情報を表示する手段を有していない小型無線通信端末において、
前記情報を記憶する記憶手段と、
人が前記情報の内容を識別することが可能な形式で前記情報を表示する表示手段を備えた情報端末へ、前記記憶手段によって記憶された前記情報を送信する狭域通信手段と、
を備えたことを特徴とする小型無線通信端末。
【請求項７】
人が情報の内容を識別することが可能な形式で前記情報を表示する手段を有していない小型無線通信端末において、
人が前記情報の内容を識別することが可能な形式で前記情報を表示する表示手段を備えた情報端末から前記情報を受信する狭域通信手段と、
前記狭域通信手段によって受信された前記情報を記憶する記憶手段と、
を備えたことを特徴とする小型無線通信端末。
【請求項８】
前記狭域通信手段が前記情報端末と赤外線通信を行うことを特徴とする請求項６または請求項７に記載の小型無線通信端末。
【請求項９】
前記狭域通信手段は、前記情報に基づいた２次元コードを生成する手段と、前記２次元コードを表示する手段とを備えたことを特徴とする請求項６に記載の小型無線通信端末。
【発明の詳細な説明】
【技術分野】
【０００１】
本発明は無線タグ（ＩＣタグ、小型無線ＩＣタグ）等の小型無線通信端末に関すると共に、その小型無線通信端末が取り扱う情報を表示する情報表示方法に関する。
【背景技術】
【０００２】
近年、特定小電力方式等を応用したアクティブ型の小型無線ＩＣタグが開発されている。これを、例えばセンサと組み合わせて、センサネットワークノードとして機能させることにより、応用領域が拡大しつつある（例えば非特許文献１参照）。また、公衆無線端末としても、組込用途向けに小型端末が開発され、ワイヤレスＭ２Ｍ分野において、応用領域が拡大しつつある（例えば非特許文献２参照）。
【非特許文献１】特定小電力無線小型・薄型アクティブセンシングタグ「ＳｅｃｕｒｅＴＡＧ  ＷＴ−１００」発売，［online］，２００５年２月２８日，セイコープレシジョン株式会社，［２００５年１２月２７日検索］，インターネット＜URL:http://www.seiko-p.co.jp/news/news-2005/news_wt-100.html＞
【非特許文献２】ユビキタスモジュール−製品紹介−DoPaユビキタスモジュール，［online］，株式会社エヌ・ティ・ティ・ドコモ，［２００５年１２月２７日検索］，インターネット＜URL: http://www.docomo.biz/module/product/dopa.html＞
【発明の開示】
【発明が解決しようとする課題】
【０００３】
従来技術では、小型無線通信端末が小型であることが必須条件であるため、一般的にスペースの都合から、端末に表示装置（ディスプレイ）が設けられない。しかしながら、このような端末が扱う情報を、人間が読み取り可能な形で表示する機能は多くの場面で必要とされる。また、このような端末の設定に関する情報や、端末が通信する情報そのものを、外部機器から人間が目視しながら編集や確認等した上で、端末にダウンロードする機能も同様に必要とされる。
【０００４】
本発明は、上述した問題点に鑑みてなされたものであって、表示スペースの確保が難しい小型無線通信端末が取り扱う情報を、その小型無線通信端末と異なる情報端末で簡便に表示することができる情報表示方法および小型無線通信端末を提供することを目的とする。
【課題を解決するための手段】
【０００５】
本発明は、上記の課題を解決するためになされたもので、人が情報の内容を識別することが可能な形式で前記情報を表示する手段を有していない小型無線通信端末が記憶する前記情報を、前記小型無線通信端末と異なる情報端末が表示する情報表示方法であって、前記小型無線通信端末の狭域通信手段が、記憶手段によって記憶された前記情報を前記情報端末へ送信し、前記情報端末の狭域通信手段が前記情報を受信し、前記情報端末の表示手段が、人が前記情報の内容を識別することが可能な形式で前記情報を表示することを特徴とする情報表示方法である。
【０００６】
また、本発明は、人が情報の内容を識別することが可能な形式で前記情報を表示する手段を有していない小型無線通信端末が記憶する前記情報を、前記小型無線通信端末と異なる情報端末が表示する情報表示方法であって、前記情報端末の表示手段が、人が前記情報の内容を識別することが可能な形式で前記情報を表示し、前記情報端末の狭域通信手段が前記情報を前記小型無線通信端末へ送信し、前記小型無線通信端末の狭域通信手段が前記情報を受信し、前記小型無線通信端末の記憶手段が、受信された前記情報を記憶することを特徴とする情報表示方法である。
【０００７】
また、本発明の情報表示方法において、前記小型無線通信端末の狭域通信手段と前記情報端末の狭域通信手段が赤外線通信を行うことを特徴とする。
【０００８】
また、本発明の情報表示方法において、前記小型無線通信端末の狭域通信手段は、前記情報に基づいた２次元コードを生成する手段と、前記２次元コードを表示する手段とを備え、前記情報端末の狭域通信手段は、表示された前記２次元コードを光学的に読み取る手段と、読み取った前記２次元コードを復号して前記情報を復元する手段とを備え、前記情報端末の表示手段が、復元された前記情報を表示することを特徴とする。
【０００９】
また、本発明の情報表示方法において、前記情報端末が携帯電話端末であることを特徴とする。
【００１０】
また、本発明は、人が情報の内容を識別することが可能な形式で前記情報を表示する手段を有していない小型無線通信端末において、前記情報を記憶する記憶手段と、人が前記情報の内容を識別することが可能な形式で前記情報を表示する表示手段を備えた情報端末へ、前記記憶手段によって記憶された前記情報を送信する狭域通信手段とを備えたことを特徴とする小型無線通信端末である。
【００１１】
また、本発明は、人が情報の内容を識別することが可能な形式で前記情報を表示する手段を有していない小型無線通信端末において、人が前記情報の内容を識別することが可能な形式で前記情報を表示する表示手段を備えた情報端末から前記情報を受信する狭域通信手段と、前記狭域通信手段によって受信された前記情報を記憶する記憶手段とを備えたことを特徴とする小型無線通信端末である。
【００１２】
また、本発明の小型無線通信端末において、前記狭域通信手段が前記情報端末と赤外線通信を行うことを特徴とする。
【００１３】
また、本発明の小型無線通信端末において、前記狭域通信手段は、前記情報に基づいた２次元コードを生成する手段と、前記２次元コードを表示する手段とを備えたことを特徴とする。
【発明の効果】
【００１４】
本発明によれば、表示スペースの確保が難しい小型無線通信端末と、表示手段を有する情報端末との間で情報通信が行われ、情報が情報端末で表示されるので、小型無線通信端末が取り扱う情報を簡便に表示することができるという効果が得られる。
【発明を実施するための最良の形態】
【００１５】
以下、図面を参照し、本発明の実施形態を説明する。まず、本発明の第１の実施形態を説明する。図１は小型無線通信端末１００の構成を示しており、図２は情報端末２００の構成を示している。小型無線通信端末１００は、前述した無線タグ（ＩＣタグ、小型無線ＩＣタグ）等であり、人が情報の内容を識別することが可能な形式（文字や記号、図形等）でその情報を表示する手段を有していない。情報端末２００は本実施形態では携帯電話端末である。図３は、小型無線通信端末１００と情報端末２００が通信を行う様子を示している。このように、小型無線通信端末１００と情報端末２００が近接して配置された状態で、両端末間の通信が行われる。
【００１６】
小型無線通信端末１００は、何らかの機能（アプリケーション）を有する部分と組み合わされて構成される。アプリケーションとは例えば、気温センサから取得した気温情報を、小型無線通信端末１００を介して遠隔サーバへ転送するシステムや、小型無線通信端末１００を介して取得した情報に基づいて遠隔地の状態（後述する錠前状態等）を監視してそれを表示するシステム等である。
【００１７】
図１に示される小型無線通信端末１００において、制御手段１０１はＣＰＵ（Central Processing Unit）等で構成され、小型無線通信端末１００内の各手段を制御する。記憶手段１０２は、単に情報を転送する際に一時的に情報を保持するため、あるいは長期的に情報を保持するためのＳＲＡＭ（Static Random Access Memory）や、ＳＤＲＡＭ（Synchronous Dynamic Random Access Memory）、ＲＯＭ（Read Only Memory）、ＥＥＰＲＯＭ（Electronically Erasable and Programmable Read Only Memory）等の中の少なくとも１つで構成され、各種の情報を記憶する。
【００１８】
送受信手段１０３はアンテナや送受信回路等で構成され、特定小電力方式やＰＤＣ−Ｐ方式等の無線通信によって外部と通信を行う。狭域通信手段たる赤外線データ通信手段１０４は赤外線通信用の発光素子や受光素子等で構成され、ＩｒＤＡ（Infrared Data Association）方式による赤外線通信を情報端末２００と行う。電源供給手段１０５は電池等で構成され、小型無線通信端末１００内の各部へ電力を供給する。
【００１９】
小型無線通信端末１００の主たる通信手段は送受信手段１０３である。本実施形態による小型無線通信端末１００は、人同士のコミュニケーション用途ではなく、物と物との通信（例えば、自動販売機が釣り銭や在庫状況に関する情報を遠隔の監視センタへ送信する場合等）が主たる適用領域である。このようなシステムを運用する場合、小型無線通信端末１００が取り付けられる対象物の数は、概ね人口と同程度の携帯電話端末の数をはるかに超えることになる。そのため、送受信手段１０３が通信を行う無線ネットワークは、人口の数倍〜数百倍の端末を収容できることが必要となる。
【００２０】
有線ネットワークと違い、帯域リソースの制限が大きい無線ネットワークにおいて、多数の端末を収容するためには、通信トラヒックをいかに効率よく収容できるのかが重要となる。例えば、通信相手を固定とすることにより、ヘッダ内の送信先端末ＩＤフィールドを省略できる。また、本実施形態のような物と物の通信の場合、人と人の通信と比較して、主情報トラヒックが少なく、制御情報トラヒックの比率が相対的に大きい特徴がある。この特徴を利用して、無線ＭＡＣ（Media Access Control）レイヤにおいて、帯域割当て単位を最適化することによって、フレーム利用効率の向上を図ることができる。以上は、従来の携帯電話網やＰＨＳ網にはない特徴である。ただし、多数の小型無線通信端末１００を収容できるのであれば、送受信手段１０３が通信を行う無線ネットワークは携帯電話網やＰＨＳ網であってもよい。
【００２１】
図２に示される情報端末２００において、制御手段２０１はＣＰＵ等で構成され、情報端末２００内の各手段を制御する。記憶手段２０２は、情報端末２００の電源がＯＮである間の一時的に情報を保持するため、あるいは情報端末２００の電源がＯＦＦである間も長期的に情報を保持するためのＳＲＡＭや、ＳＤＲＡＭ、ＲＯＭ、ＥＥＰＲＯＭ、フラッシュメモリ等の中の少なくとも１つで構成され、各種の情報を記憶する。送受信手段２０３はアンテナや送受信回路等で構成され、ＰＤＣ−Ｐ方式等の無線通信によって外部と通信を行う。
【００２２】
狭域通信手段たる赤外線データ通信手段２０４は赤外線通信用の発光素子や受光素子等で構成され、ＩｒＤＡ方式による赤外線通信を小型無線通信端末１００と行う。表示手段２０５は、液晶ディスプレイまたは有機ＥＬディスプレイ等で構成され、人が情報の内容を識別することが可能な形式（文字や記号、図形等）で各種の情報を表示する。図２において、情報端末２００が有するその他の構成である電源供給手段や操作手段等の図示は省略されているものとする。
【００２３】
次に、本実施形態による小型無線通信端末１００と情報端末２００が通信を行う際の動作を説明する。小型無線通信端末１００から情報端末２００へ情報が送信され、その情報が情報端末２００の表示手段２０５によって表示される場合には以下のようになる。小型無線通信端末１００の記憶手段１０２には、製品出荷時に予め格納された情報、または送受信手段１０３によって外部から受信され、制御手段１０１によって格納された情報が存在している。制御手段１０１はその情報を記憶手段１０２から読み出し、赤外線データ通信手段１０４へ出力する。赤外線データ通信手段１０４は、小型無線通信端末１００の近傍に置かれた情報端末２００へ、赤外線通信によって情報を送信する。
【００２４】
情報端末２００の赤外線データ通信手段２０４は情報を受信し、制御手段２０１へ出力する。制御手段２０１は記憶手段２０２に情報を格納した後、情報を表示するタイミングでその情報を記憶手段２０２から読み出し、表示に適するように情報の形式を変換する等の処理を行った後、情報を表示手段２０５へ出力する。表示手段２０５はその情報を表示する。これによって、小型無線通信端末１００に記憶されていた情報をユーザが確認することができる。
【００２５】
また、情報端末２００の表示手段２０５によって表示された情報が情報端末２００から小型無線通信端末１００へ送信される場合には以下のようになる。情報端末２００の送受信手段２０３は外部から情報を受信し、制御手段２０１へ出力する。制御手段２０１は記憶手段２０２に情報を格納した後、情報を表示するタイミングでその情報を記憶手段２０２から読み出し、表示に適するように情報の形式を変換する等の処理を行った後、情報を表示手段２０５へ出力する。表示手段２０５はその情報を表示する。これによって、小型無線通信端末１００へ送信される情報をユーザが確認することができる。この情報は、適宜ユーザによって内容に変更が施される。
【００２６】
続いて、制御手段２０１は記憶手段２０２からその情報を読み出し、赤外線データ通信手段２０４へ出力する。赤外線データ通信手段２０４は、赤外線通信によって小型無線通信端末１００へ情報を送信する。小型無線通信端末１００の赤外線データ通信手段１０４は情報を受信し、制御手段１０１へ出力する。制御手段１０１は記憶手段１０２に情報を格納する。この情報をさらに外部へ転送する場合には、情報が制御手段１０１によって記憶手段１０２から読み出され、送受信手段１０３によって送信される。
【００２７】
本実施形態では、情報端末２００として携帯電話端末を想定している。多くの携帯電話端末は、ＩｒＤＡ方式による狭域通信手段を具備しているので、これと小型無線通信端末１００の赤外線データ通信手段１０４との間でデータ通信を行うことができる。これにより、小型無線通信端末１００の主たる通信手段である送受信手段１０３で受信した情報を情報端末２００へ転送し、その内容を情報端末２００の表示手段２０５に表示させることができる。
【００２８】
例えば、家などの鍵に通信機能を持たせ（本実施形態による小型無線通信端末１００を柄の部分などに作り込むことにより実現される）、これと対になる錠前と通信することにより、錠前状態を遠隔監視するシステムがある（特願２００４−３３９３９７）。これは、所有者だけに錠前状態の遠隔監視を許すことによって、悪意の第三者による盗み見を防止するシステムである。錠前状態だけであれば、開か閉かの２状態を表現できれば十分なので、表示手段としてはＬＥＤ等でもよく、その場合、鍵の柄という小さいスペースに表示手段を作り込むことは可能である。
【００２９】
しかし、同システムの発展形として、各種のホームセキュリティ情報（ガス元栓状態、ガラス窓の施錠状態など）も表示させたい場合には、ＬＥＤ等での対応は困難である。テキスト情報を表示することができる液晶ディスプレイ等を表示手段として採用することが望ましいが、そのような表示手段を鍵の柄に実装するのは困難である。このような場合、ホームセキュリティ情報を各種機器等の外部装置から取得した本実施形態の小型無線通信端末１００がホームセキュリティ情報を携帯電話等の情報端末２００へ転送し、その液晶ディスプレイ等の表示手段上で表示させることにより、問題を解決することが可能である。
【００３０】
また逆に、情報端末２００が作成したテキストデータを小型無線通信端末１００に送信し、小型無線通信端末１００の送受信手段１０３を経由して外部へ送信させることができる。このテキストデータは、前述した各種のアプリケーションに用いられるデータである。例えば、主たる通信手段である送受信手段１０３は、物と物との通信に用いられるので、狭域であることがあるため、センサの校正データなどのデータサイズが、送受信手段１０３で送信するには大きすぎる場合がある。このような場合に、携帯電話網経由で情報端末２００が校正データをダウンロード（受信）し、狭域通信手段たる赤外線データ通信手段２０４で小型無線通信端末１００へ転送することにより、ネットワークの負荷やコストを低減することができる。
【００３１】
上記のように、情報端末２００として携帯電話端末を想定したのは、小型無線通信端末１００が様々な物、特に移動体等に埋め込まれることが多いことから、表示手段としての情報端末２００も携帯型である方が好都合な場合が多いからである。これと同様の考え方によれば、情報端末２００がＰＤＡ（Personal Digital Assistance）等の携帯型情報端末であっても問題はない。また、小型無線通信端末１００がユーザの意思により自由に持ち運び可能な場合は、情報端末２００がＰＣ（Personal Computer）等の据え置き型の情報端末であってもよい。
【００３２】
なお、本実施形態では、狭域通信手段として赤外線データ通信手段が小型無線通信端末および情報端末に設けられているが、狭域通信手段はこれに限定されない。例えば、電源を持たないパッシブタグとリーダ間での通信に用いられる電磁誘導方式やＢｌｕｅｔｏｏｔｈ（登録商標）等による通信手段が狭域通信手段として考えられる。その一方で、携帯電話端末やＰＤＡ等の代表的な携帯情報端末において最も普及が進んでいるのは、赤外線データ通信のＩｒＤＡ方式である。したがって、ユーザの利便性を考慮した場合は、狭域通信手段を、ＩｒＤＡ方式による赤外線データ通信手段とすることが望ましい。
【００３３】
上述したように、本実施形態では、表示スペースの確保が難しい小型無線通信端末と、表示手段を有する情報端末との間で情報通信が行われ、小型無線通信端末が取り扱う情報が情報端末で表示される。これによって、小型無線通信端末が取り扱う情報を、その小型無線通信端末と異なる情報端末で簡便に表示することができる。
【００３４】
次に、本発明の第２の実施形態を説明する。図４は小型無線通信端末３００の構成を示しており、図５は情報端末４００の構成を示している。小型無線通信端末３００も第１の実施形態と同様に、前述した無線タグ（ＩＣタグ、小型無線ＩＣタグ）等であり、人が情報の内容を識別することが可能な形式（文字や記号、図形等）でその情報を表示する手段を有していない。情報端末４００は本実施形態でも携帯電話端末である。図６は、小型無線通信端末３００と情報端末４００が通信を行う様子を示している。このように、小型無線通信端末３００と情報端末４００が近接して配置された状態で、両端末間の通信が行われる。また、この通信は、小型無線通信端末３００が表示した２次元コードを情報端末４００が光学的に読み取ることによって行われる。
【００３５】
図４に示される小型無線通信端末３００において、制御手段３０１、記憶手段３０２、送受信手段３０３、および電源供給手段３０５はそれぞれ、第１の実施形態による小型無線通信端末１００が備える制御手段１０１、記憶手段１０２、送受信手段１０３、および電源供給手段１０５と同様である。第１の実施形態と異なる点は、図１の赤外線データ通信手段１０４のように、キャリアとなる電磁波を変調してデータを送る（以下、この方法を電波方式と称す）のではなく、光学的にデータを転送する方法を実現する２次元コード表示手段３０４が設けられている点である。この２次元コード表示手段３０４は液晶ディスプレイまたは有機ＥＬディスプレイ等で構成され、小型無線通信端末３００が所持する情報に基づいた２次元コードを表示する。本実施携帯では、情報の転送方向は小型無線通信端末３００から情報端末４００への一方向である。
【００３６】
図５に示される情報端末４００において、制御手段４０１、記憶手段４０２、送受信手段４０３、および表示手段４０５はそれぞれ、第１の実施形態による情報端末２００が備える制御手段２０１、記憶手段２０２、送受信手段２０３、および表示手段２０５と同様である。第１の実施形態と異なる点は、図２の赤外線データ通信手段２０４のように、電波方式によってデータを転送するのではなく、光学的にデータを転送する方法を実現する撮像手段４０４が設けられている点である。
【００３７】
この撮像手段４０４は、２次元コードを光学的に読み取るため、光電変換によって光学像を電気信号に変換する撮像素子や、小型無線通信端末３００の２次元コード表示手段３０４によって表示された２次元コードを光学像として撮像素子の撮像面に結像する光学レンズを有するカメラ等で構成されている。撮像手段４０４は２次元コードを撮像し、画像データを生成する。図５において、情報端末４００が有するその他の構成である電源供給手段や操作手段等の図示は省略されているものとする。
【００３８】
次に、本実施形態による小型無線通信端末３００と情報端末４００が通信を行う際の動作を説明する。小型無線通信端末３００の記憶手段３０２には、製品出荷時に予め格納された情報、または送受信手段３０３によって外部から受信され、制御手段３０１によって格納された情報が存在している。制御手段３０１はその情報を記憶手段３０２から読み出し、その情報に基づいて２次元コードを生成して２次元コード表示手段３０４へ出力する。２次元コード表示手段３０４は２次元コードを表示する。
【００３９】
小型無線通信端末３００の近傍に置かれた情報端末２００の撮像手段４０４は２次元コードを撮像し、画像データを生成して制御手段４０１へ出力する。制御手段４０１は、画像データに基づいて２次元コードを復元し、その２次元コードをデコード（復号）して元の情報を復元する。制御手段４０１は記憶手段４０２にその情報を格納した後、情報を表示するタイミングでその情報を記憶手段４０２から読み出し、表示に適するように情報の形式を変換する等の処理を行った後、情報を表示手段４０５へ出力する。表示手段４０５はその情報を表示する。これによって、小型無線通信端末３００に記憶されていた情報をユーザが確認することができる。
【００４０】
情報端末４００のようなカメラ付き携帯電話端末で復元できる２次元コードとしてはＱＲコードが一般的である。ＱＲコードの場合、２１セル×２１セルで英数字２５文字を表示することが可能である。一般的な携帯電話端末のカメラで識別可能なセルサイズが0.28mmであることを考えると、ＱＲコードの表示に必要なスペースは約6mm×6mmである。この領域に英数字２５文字を表示する場合には、人間の目で読める条件の下でディスプレイに直接英数字を表示する場合と比べて、所定面積当たりの情報量は多いと言える。
【００４１】
情報端末４００として、本実施形態ではカメラ付き携帯電話を想定したが、ＱＲコードを撮影するためのカメラと、得られたＱＲコードをデコードするためのソフトウェアが搭載されていれば、ＰＤＡ等を情報端末４００として利用することも可能である。また、第１の実施形態で説明したように、小型無線通信端末３００が自由に移動することが可能な場合には、情報端末４００が、カメラの接続されたＰＣ等の据え置き型の情報端末であってもよい。
【００４２】
第１の実施形態において、小型無線通信端末と情報端末の間の通信方式として採用されている赤外線データ通信、Ｂｌｕｅｔｏｏｔｈ（登録商標）、パッシブタグ方式等の電波方式では、悪意の第三者が遠隔から読み取り信号を送信することにより、情報を盗み取られる、いわゆるスキミングのリスクがある。一方、本実施形態のように、小型無線通信端末が表示した２次元コードを情報端末が光学的に読み取る方式では、表示された２次元コードのすぐ傍、すなわちＱＲコードであればそのパターンを認識できるほど情報端末のカメラを近くに寄せなければ、情報を得ることは困難である。
【００４３】
また、小型無線通信端末がかばん等に入れられていて、肉眼で見えない場合も、情報を取得することは困難である。すなわち、光学的に情報を転送する方式の場合、電波方式と比較して、表示された２次元コードを見通せること、表示された２次元コードに十分接近していることの２条件が加わるため、スキミングのリスクを大幅に低減することができる。
【００４４】
以上、図面を参照して本発明の実施形態について詳述してきたが、具体的な構成はこれらの実施形態に限られるものではなく、本発明の要旨を逸脱しない範囲の設計変更等も含まれる。
【図面の簡単な説明】
【００４５】
【図１】本発明の第１の実施形態による小型無線通信端末の構成を示すブロック図である。
【図２】本発明の第１の実施形態による情報端末の構成を示すブロック図である。
【図３】本発明の第１の実施形態による小型無線通信端末と情報端末が通信を行う様子を示す概略構成図である。
【図４】本発明の第２の実施形態による小型無線通信端末の構成を示すブロック図である。
【図５】本発明の第２の実施形態による情報端末の構成を示すブロック図である。
【図６】本発明の第２の実施形態による小型無線通信端末と情報端末が通信を行う様子を示す概略構成図である。
【符号の説明】
【００４６】
１００，３００・・・小型無線通信端末、１０１，２０１，３０１，４０１・・・制御手段、１０２，２０２，３０２，４０２・・・記憶手段、１０３，２０３，３０３，４０３・・・送受信手段、１０４，２０４・・・赤外線データ通信手段、１０５，３０５・・・電源供給手段、２００，４００・・・情報端末、２０５，４０５・・・表示手段、３０４・・・２次元コード表示手段、４０４・・・撮像手段
【図１】
2007193559.tif 000003
【図２】
2007193559.tif 000004
【図３】
2007193559.tif 000005
【図４】
2007193559.tif 000006
【図５】
2007193559.tif 000007
【図６】
2007193559.tif 000008